(57)【特許請求の範囲】
【請求項１】
底壁（２２）及びその周囲を囲む側壁（２３）とにより上面が開口し、該開口縁全周に亘って防水パッキン部嵌入溝（２５）が形成されてなり、かつ上記側壁（２３）に略Ｕ字形の切欠き（２７）が形成され、該切欠き縁に沿ってグロメット部嵌入縦溝（２８）が形成されてなる機器ケース本体（２１）と、
上記切欠き（２７）内を貫通する筒状をなすコネクタハウジング（４０）と、
上記機器ケース本体（２１）の上記開口に被着される蓋体（３６）と、
上記機器ケース本体（２１）の防水パッキン部嵌入溝（２５）内に嵌合位置される環状の防水パッキン部（３１）及び上記切欠き（２７）のグロメット部嵌入縦溝（２８）内に嵌入されるグロメット部（３２）とが一体に形成されてなる防水シール材（３０）とからなり、
上記機器ケース本体（２１）の防水パッキン部嵌入溝（２５）及びグロメット部嵌入縦溝（２８）に嵌入された防水パッキン部（３１）及びグロメット部を、上記機器ケース本体（２１）と蓋体（３６）とで挟圧することを特徴とする電子機器ケースのシール構造であって、
上記防水パッキン部（３１）の上面中央部に、その全周に亘って連続する断面略かまぼこ形状の突条（３３）を一体形成し、さらに該防水パッキン部（３１）の下面と、グロメット部（３２）の左右両側面及びその底面の各面の中央部に、その全長に亘って連続する断面略かまぼこ形状の突条（３３）を一体形成し、
上記グロメット部（３２）の中央部に、上記コネクタハウジング（４０）を嵌入するコネクタ嵌入口（３４）を設けると共に、該コネクタ嵌入口（３４）の内周縁にコネクタ嵌入溝（３５）を設けて、該コネクタ嵌入溝（３５）に、上記コネクタハウジング（４０）の外周面に形成されているリブ（４２）を水密的に嵌入せしめ、
さらに、上記機器ケース本体（２１）の略Ｕ字状の切欠き（２７）形成部に対応する蓋体（３６）の端部に、上記グロメット部（３２）の外方向への変形を阻止するように、該蓋体（３６）の端部から、直角に延長された変形規制片（３８）が形成されていることを特徴とする電子機器ケースのシール構造。
【発明の詳細な説明】
【０００１】
【発明の属する技術分野】
本発明は、自動車車室外の、例えば雨水、洗車時の水分等を受けやすい個所に設備される電子機器ケースのシール構造であって、特に電子機器を構成しているケース本体、その蓋体及びコネクタの間の防水シールの確実性と経済性を高めると共に、電子機器ケースからワイヤハーネス引き出し方法をコネクタ構造となして電子機器ケース全体のコンパクト化を可能とする電子機器ケースのシール構造に関するものである。
【０００２】
【従来の技術】
自動車に設備される電気ブレーキコントローラ等の電子機器モジュールは、例えば雨天走行時におけるしぶきや洗車時のしぶき等がかかりやすい、すなわち防水的に環境の悪い車体裏側外側面に取付けられることから、上記電子機器モジュールの機器ケースにあっては、高い防水性が要求される。
【０００３】
このような電子機器モジュールの防水性機器ケースの先行例として、例えば図１５で示す如き構成のものがある。即ち１は底壁２及び周囲の側壁３で形成された機器ケース本体であって、この機器ケース本体１の側壁３には、ワイヤハーネス４を機器ケース本体１の内部から、その外部へ引き出すためのワイヤハーネス引出口５が形成されている。６は上記機器ケース本体１内に収納固定される電子機器モジュールであり、この電子機器モジュール６には上記のワイヤハーネス４がコネクタ７を介して接続されるようになっている。
【０００４】
８は上記機器ケース本体１に形成されている水平開口縁９に係合位置される環状の防水パッキンであり、機器ケース本体１の開口縁９上に上記の防水パッキン８を介して蓋体１０が防水状態で被着される。また上記ワイヤハーネス４には水密的にブッシュ１１が取付けられており、さらにこのブッシュ１１の外周面と上記機器ケース本体１に形成されているワイヤハーネス引出口５の垂直開口縁１２及び蓋体１０との間が防水グロメット１３を介して水密構造となっている。
【０００５】
【発明が解決しようとする課題】
このように、先行例で示される電子機器モジュール６を防水するために使用される機器ケースにあっては、機器ケース本体１の水平開口縁９に防水パッキン８を介在させて蓋体１０との水密性を保持、また機器ケース本体１の垂直開口縁１２にはグロメット１３を介在させてブッシュ１１との水密性を保持しているものである。
【０００６】
ところが、上記のような電子機器モジュール防水のための機器ケース防水構造では、機器ケース本体１の水平開口縁９と蓋体１０との間の水密性を保持せしめるための防水パッキン８と、機器ケース本体１の垂直開口縁１２とブッシュ１１との間の水密性を保持せしめるためのグロメット１３とにそれぞれ異種のシール材を使用しなければならず、これが原因でそれらシール材の成形費用、管理費用が嵩むという欠点があった。
【０００７】
また上記機器ケース防水構造では、機器ケースの組付完了後において、防水パッキン８とグロメット１３との干渉部分（接合部分）が生じるが、この干渉部分、つまり防水パッキン８とグロメット１３との接合部分の防水信頼性が低い。さらには機器ケースからワイヤハーネス４が引き出されていることから、ワイヤハーネス４に取付けられたグロメット１３を機器ケースに取付けなくてはならないことから、そのための取付構造が必要となり得るために、機器ケースの全体形状が大型化されてしまい、これが原因で上記電子機器モジュールの取付けに不便を起すという欠点もあった。
【０００８】
本発明は、かかる問題点に着目してなされたもので、機器ケース本体に形成されている水平開口縁に係合される環状の防水パッキンと、機器ケース本体の側壁に形成されている垂直開口縁に係合される防水グロメットを一体構造となして、防水シール材の使用部品点数を削減し、組立作業性及びその製作経済性を高めると共に環状の防水パッキンと防水グロメットとの間の防水シール性を高めることを第１の目的とする。
【０００９】
また本発明では、機器ケース本体及び該機器ケース本体に被着される蓋体と、防水シール材との水密的接圧変形を容易ならしめる構成となして、機器ケース周辺全体と防水パッキン材との間の防水シール性能を高めることを第２の目的とする。
【００１０】
さらに本発明では、電子機器ケースの内部電気回路と、電子機器ケースの外部ワイヤハーネスとを、電子機器ケースの内部に位置せしめたコネクタを介して接続して、ブッシュの使用を省き、これにより上記電子機器ケースの全体形状を小型化すると共に、上記電子機器ケースを含む制御機器構体の取扱い及びその取付作業性等を高めることを第３の目的とする。
【００１１】
【問題を解決するための手段】
上記目的を達成するために本発明では、底壁（２２）及びその周囲を囲む側壁（２３）とにより上面が開口し、該開口縁全周に亘って防水パッキン部嵌入溝（２５）が形成されてなり、かつ上記側壁（２３）に略Ｕ字形の切欠き（２７）が形成され、該切欠き縁に沿ってグロメット部嵌入縦溝（２８）が形成されてなる機器ケース本体（２１）と、上記切欠き（２７）内を貫通する筒状をなすコネクタハウジング（４０）と、上記機器ケース本体（２１）の上記開口に被着される蓋体（３６）と、上記機器ケース本体（２１）の防水パッキン部嵌入溝（２５）内に嵌合位置される環状の防水パッキン部（３１）及び上記切欠き（２７）のグロメット部嵌入縦溝（２８）内に嵌入されるグロメット部（３２）とが一体に形成されてなる防水シール材（３０）とからなり、上記機器ケース本体（２１）の防水パッキン部嵌入溝（２５）及びグロメット部嵌入縦溝（２８）に嵌入された防水パッキン部（３１）及びグロメット部を、上記機器ケース本体（２１）と蓋体（３６）とで挟圧することを特徴とする電子機器ケースのシール構造であって、
上記防水パッキン部（３１）の上面中央部に、その全周に亘って連続する断面略かまぼこ形状の突条（３３）を一体形成し、さらに該防水パッキン部（３１）の下面と、グロメット部（３２）の左右両側面及びその底面の各面の中央部に、その全長に亘って連続する断面略かまぼこ形状の突条（３３）を一体形成し、
上記グロメット部（３２）の中央部に、上記コネクタハウジング（４０）を嵌入するコネクタ嵌入口（３４）を設けると共に、該コネクタ嵌入口（３４）の内周縁にコネクタ嵌入溝（３５）を設けて、該コネクタ嵌入溝（３５）に、上記コネクタハウジング（４０）の外周面に形成されているリブ（４２）を水密的に嵌入せしめ、さらに、上記機器ケース本体（２１）の略Ｕ字状の切欠き（２７）形成部に対応する蓋体（３６）の端部に、上記グロメット部（３２）の外方向への変形を阻止するように、該蓋体（３６）の端部から、直角に延長された変形規制片（３８）が形成されている電子機器ケースのシール構造であることを特徴としている。
【００１４】
【発明の実施の形態】
以下に本発明を図面に示す実施の形態に基いて詳細に説明する。
【００１５】
先ず機器ケース本体２１の構成について図１乃至図４で説明すると、機器ケース本体２１は底壁２２と、その底壁２２の周囲を囲む側壁２３とによって後述する電子回路基板３９を収納する収納空間２４を形成した上面開口形状となっている。
【００１６】
この機器ケース本体２１の開口縁上には、全周に亘って後述する防水シール材３０の防水パッキン部を密嵌入するための防水パッキン部嵌入溝２５が形成され、その防水パッキン部嵌入溝２５の外側に後述する蓋体３６の取付ねじ孔２６が形成されている。
【００１７】
また機器ケース本体２１の側壁２３のうちの一側壁には、前記開口縁から底壁２２に向って略Ｕ字形に切り欠かれている切欠き２７が形成されており、この切欠き２７の周縁には、その全長に亘って後述するグロメット部３２が密嵌入される凹形状のグロメット部嵌入縦溝２８が形成されている。なお２９は電子回路基板の取付ねじ孔を示す。
【００１８】
次に上記防水シール材３０の構成について図５乃至図９で説明すると、この防水シール材３０はゴム等からなる可撓弾性を有する材質で形成されており、この形状は、上記機器ケース本体２１に形成されている防水パッキン部嵌入溝２５内に嵌入される環状の防水パッキン部３１と、上記グロメット部嵌入溝２８内に嵌入されるグロメット部３２が一体形成されている。つまり上記防水パッキン部３１を水平位置させたとき、その防水パッキン部３１に対し、グロメット部３２が垂直位置されるようにして一体に形成されている。
【００１９】
そして上記防水パッキン部３１の幅（Ｗ）は、上記防水パッキン部嵌入溝２５の溝幅（Ｗ’）と略等しく形成し、またグロメット部３２の厚さ（Ｌ）は、上記グロメット部嵌入溝２８の溝幅（Ｌ’）と略等しく形成している。さらに上記防水パッキン部３１の高さ（Ｈ）は防水嵌入溝２５の溝深さ（Ｈ’）より若干大きくなるように形成しており、また、それぞれは環状に形成されている。
【００２０】
上記防水パッキン部３１の上面には、その環状方向に沿って連続する断面略かまぼこ形状の突条３３が一体形成されており、また防水パッキン部３１の下面とグロメット部３２の左右両側面及びその下側面に亘って、上記突条３３と断面同形状の突条３３が連続形成されている。
【００２１】
上記グロメット部３２の中央部には、後述するコネクタハウジングを嵌入するためのコネクタ嵌入口３４が形成されており、さらにこのコネクタ嵌入口３４の内周縁には、コネクタハウジングが密嵌入されるコネクタ嵌入溝３５が形成されている。
【００２２】
次に上記機器ケース本体２１の開口部に被着される蓋体３６の構成を図１０乃至図１２に基いて説明する。この蓋体３６は、上記機器ケース本体２１の上側開口部を閉塞する形状である略偏平形状であって、その表面側周囲と裏面中央部には、蓋体３６の強度を高めるためのリブ３７が形成されている。さらに上記蓋体３６において、上記機器ケース本体２１に設けられている切欠き２７との対応位置に、上記グロメット部３２の上縁部を嵌入する溝部４３と、グロメット部３２の上縁部上面に当接されるグロメット部３２の変形規制片３８が形成されている。
【００２３】
以上が電子機器ケース構成部材の形状説明であるが、次にその作用について述べると、図１３で示すように、所定の電子回路基板３９に所定のコネクタハウジング４０を接続端子４１を介して半田付けする。次いでコネクタハウジング４０の周面に、上記防止シール材３０に設けられているグロメット部３２のコネクタ嵌合口３４を嵌合して、コネクタハウジング４０に防水シール材３０を結合させる。このときコネクタハウジング４０の外周面に形成されているリブ４２がコネクタ嵌入溝３５内に水密的に嵌入される。
【００２４】
次にその防水シール材３０のグロメット部３２の左右両側縁部及びその下縁部を、機器ケース本体２１に設けられている切欠き２７の周縁に形成されているグロメット部嵌入縦溝２８内に挿入し、さらにその防水シール材３０の防水パッキン部３１を機器ケース本体２１に設けられている防水パッキン部嵌入溝２５内に嵌合せしめる。
【００２５】
次に機器ケース本体２１及び防水シール材３０の上部から、その機器ケース本体２１上面の開口部を閉塞するように蓋体３６を被せ、上記防水シール材３０を挟んで蓋体３６と機器ケース本体２１とを取付ねじ４４で締着することで機器ケース本体２１内部の防水性が保持される。
【００２６】
このように本実施の形態にあっては、機器ケース本体に設けられている上面開口部と、コネクタ嵌合用の切欠き２７のそれぞれを、単体である防水シール材３０を介して、蓋体３６及びコネクタハウジング４０を水密的に閉塞することができるので、その機器ケース本体の防水組付作業が円滑に行なえると共に防水シール材３０の部品点数の削減が可能であって、経済性にも優れるものがある。
【００２７】
また、防水シール材３０の機器ケース本体２１との嵌合面及び蓋体３６との接合面の全べてにおいて、連続する断面略かまぼこ形状の突条３３が形成されており、しかも蓋体３６にはグロメット部３２の外方向への変形を阻止するための変形規制片３８を用いているので、機器ケース本体２１と蓋体３６との締結押圧力で上記突条３３が機器ケース本体２１及び蓋体３６とのシール面全長に亘って確実なる密接力が生起され、これによって防水シールの確実性が高められる。
【００２８】
また上記防水シール材３０は、機器ケース本体２１に設けられている防水パッキン部嵌入溝２５及びグロメット部嵌入縦溝２８の全長に亘って密嵌入され、その上で機器ケース本体２１と蓋体３６との締結に伴なう押圧力を受けるために、その押圧力に伴なう防水シール材３０の弾性変形で該防水シール材３０の外側面と上記溝２５及び２８の内側面との圧接力が高められ、これによっても防水シールの確実性が維持される。
【００２９】
また上記機器ケース本体２１内に内装されている電子回路基板と、機器ケース本体２１外部のワイヤハーネスとは、機器ケース本体２１に組付けられているコネクタ４０を介して接続される構成となしているので、常時機器ケース本体２１からワイヤハーネスを引き出しておく必要がなく、このために機器ケースを含む制御機器筐体の取扱い及び車体への取付作業が容易であり、しかも上記制御機器筐体にブッシュ等を突設させる必要がないので、その制御機器筐体の全体形状をコンパクト化することができる。
【００３０】
【発明の効果】
以上のように本発明の電子機器ケースのシール構造によれば、機器ケース本体２１に形成されている水平方向の開口と垂直方向の開口を単体である防水シール材でシールすることができ、これによって防水シール材の部品点数の削減が可能であり、これにより特に防水シール材の部品点数の削減及びその組付工数の削減等により経済性が大幅に向上する。また上記構成の防水シール材を用いることで機器ケース本体と蓋体との間、さらには機器ケース及び蓋体とコネクタとの間のそれぞれの防水シール性が確保できる。また機器ケース本体には、防水シール材を介してコネクタを設けており、このコネクタを介して制御機器筐体にワイヤハーネスを接続せしめることができるように構成しているので、ワイヤハーネスを接続する以前の制御機器筐体の取扱いが便利となる等の作用効果を奏するものである。
【図面の簡単な説明】
【図１】本発明のシール構造に用いられる機器ケース本体の実施形態を示した平面図。
【図２】図１の正面図。
【図３】図１における III−III 線断面図。
【図４】図１の右側面図。
【図５】本発明のシール構造に用いられる防水シール材の実施形態を示した平面図。
【図６】図５の正面図。
【図７】図５の右側面図。
【図８】図６における IIX−IIX 線断面図。
【図９】図５におけるIX−IX線断面図。
【図１０】本発明のシール構造に用いられる蓋体の実施形態を示した平面図。
【図１１】図１０におけるXI−XI線断面図。
【図１２】図１０の正面図。
【図１３】電子回路基板とコネクタと防水シール材との組合せ手順を示した側面図。
【図１４】電子回路基板とコネクタを組付けた防水シール材を、機器ケース本体に組付けるときの説明正面図。
【図１５】従来の電子機器ケースのシール構造を示した斜視図。
【符号の説明】
２１…機器ケース本体
２２…底壁
２３…側壁
２４…収納空間
２５…防水パッキン部嵌入溝
２６…取付ねじ孔
２７…切欠き
２８…グロメット部嵌入縦溝
２９…取付ねじ孔
３０…防水シール材
３１…防水パッキン部
３２…グロメット部
３３…突条
３４…コネクタ嵌入口
３５…コネクタ嵌入溝
３６…蓋体
３７…リブ
３８…変形規制片
３９…電子回路基板
４０…コネクタハウジング
４１…接続端子
４２…リブ
４３…溝部
４４…取付ねじ
【図１】
0004116728.tif 000002
【図２】
0004116728.tif 000003
【図３】
0004116728.tif 000004
【図４】
0004116728.tif 000005
【図５】
0004116728.tif 000006
【図６】
0004116728.tif 000007
【図７】
0004116728.tif 000008
【図８】
0004116728.tif 000009
【図９】
0004116728.tif 000010
【図１０】
0004116728.tif 000011
【図１１】
0004116728.tif 000012
【図１２】
0004116728.tif 000013
【図１３】
0004116728.tif 000014
【図１４】
0004116728.tif 000015
【図１５】
0004116728.tif 000016